(57)【要約】【課題】高齢者の行住坐臥における全身状態を医療センター等管理センターで集中的にモニタリングできるとともに医療センター等管理センターからの遠隔操作によって薬剤投与といった治療行為を行うことができる健康維持支援システムを提供すること。【解決手段】床義歯又はマウスピースに体温、脈拍、唾液中の酵素や代謝物質等を検出するセンサー及び体姿勢や運動を検出する加速度センサーからなる生体センサーと、該生体センサーからのデータを評価して異常値を検出するとともにデータを蓄積する信号処理部と、該信号処理部におけるデータを無線方式で医療センター等管理センターに送信するとともに医療センター等管理センターからの指令信号を受信する通信部と、管理センターからの指令信号に基づいて作動する動作機器部を装着してなる。【選択図】      図１
2004167120.tif 000002
【特許請求の範囲】
【請求項１】
床義歯又はマウスピースに、体温、脈拍、血中酸素飽和度、唾液中の酵素や代謝物質を検出するセンサー及び体姿勢や運動を検出する加速度センサー等の生体センサーと、該生体センサーからのデータを評価して異常値を検出するとともにデータを蓄積する信号処理部と、該信号処理部におけるデータをネットワーク接続器を介してホームネットワーク、インターネット等のネットワークに無線方式で送信するとともに管理センターからの指令信号を受信する通信部と、管理センターから前記ネットワークを介して送信される指令信号に基づいて作動する薬剤ポンプ、呼び出し用バイブレータ、口腔内電話装置等の動作機器部を装着してなる口腔内設置型生体モニター・治療装置。
【発明の詳細な説明】
【０００１】
【発明の属する技術分野】
本発明は、被検者わけても高齢者の健康状態を正確に把握・管理すべく、粘膜を介して得られる生体情報ならびに体姿勢、運動、被検者の位置などのフィジカルな情報を得るための、生体モニタリング及び治療・通信手段を、体を傷つけることなく簡便に装着できる口腔内設置型生体モニター・治療装置に関する。
【０００２】
【従来の技術】
我国は世界一の長寿国であり、急速に進行する少子化と相俟って高齢者社会へと移行しつつある。而して、高齢者の健康状態を正確に把握し、健康な状態を維持させて高齢者の生きる力となるＱＯＬ（ｑｕａｌｉｔｙ  ｏｆ  ｌｉｆｅ）を向上、促進させることが望まれている。
【０００３】
従来、人の健康状態を把握すべく、脈拍等を検出するために手首にバンドを装着するとともにデータ管理装置を腰に装着してバンドとデータ管理装置間を配線で結んだ装置が市販されている。この装置を利用して病院等の施設内では無線で患者の脈拍等をナースセンターで集中管理するシステムが知られている。しかしながら、バンドの手首への装着感があるほかバンドとデータ管理装置間を結ぶ配線がある処から日常生活を営む上で抵抗感がある。
【０００４】
一方、特開平４−３３６４７号公報には、生体液と接触可能に設けられたセンサーと、該センサーで感知された生体液等の物理化学量を電気信号として外部受信装置へ送信する発信器を具備する人工歯根が開示されている。この先行技術によるときは、センサーが血液、リンパ液、歯肉などの生体液と接触し、生体液の物理化学量を電気信号として取り出すことが可能となる。
【０００５】
【発明が解決しようとする課題】
しかしながら、上記従来技術によるときは、就中高齢者の体姿勢・運動といった行動面をも含めた行住坐臥における全身状態をモニタリングすることが不可能であり、また、唾液分泌促進剤等薬剤の投与を遠隔操作によって行うといった治療行為を行うことができない問題があった。
【０００６】
本発明は、上記従来技術における問題を解決し、高齢者の行住坐臥における全身状態を医療センター等管理センターで集中的にモニタリングできるとともに医療センター等管理センターからの遠隔操作によって、たとえば唾液分泌促進剤等薬剤を投与すべく薬剤ポンプを作動させるといった治療行為を行うことができる健康維持支援システムを提供することを目的とする。
【０００７】
【課題を解決するための手段】
上記課題を解決するための本発明は、床義歯又はマウスピースに、体温、脈拍、血中酸素飽和度、唾液中の酵素や代謝物質を検出するセンサー及び体姿勢や運動を検出する加速度センサー等の生体センサーと、該生体センサーからのデータを評価して異常値を検出するとともにデータを蓄積する信号処理部と、該信号処理部におけるデータをネットワーク接続器を介してホームネットワーク、インターネット等のネットワークに無線方式で送信するとともに管理センターからの指令信号を受信する通信部と、管理センターから前記ネットワークを介して送信される指令信号に基づいて作動する薬剤ポンプ、呼び出し用バイブレータ、口腔内電話装置等の動作機器部を装着してなる口腔内設置型生体モニター・治療装置である。
【０００８】
【発明の実施の形態】
以下、本発明をその好ましい実施形態に則して説明する。
【０００９】
本発明の口腔内設置型生体モニター・治療装置は、生体センサーと信号処理部、通信部、動作機器部の３つの部分から構成される。
生体センサーは、たとえば体温（温度検出）、脈拍、血中酸素飽和度、唾液中の酵素や代謝物質を測定するセンサーならびに、体姿勢や運動及び被検者（高齢者）の位置センサーであり、これらは、床義歯に穿設された空腔部に組み込まれている。体温（温度検出）、脈拍、血中酸素飽和度のセンサーは、床義歯下面に露出し、歯肉や粘膜に接触する。または、透明な床義歯材料を介して生体情報を得る。
【００１０】
被検者の体姿勢、運動、位置センサーとしては、たとえば特開平１１−１１８４１２号公報に開示されている、容器に装入されている誘電液体の、容器の傾きによって生じる電極と誘電液体の接触面積の電極対間の差異に起因する静電容量の変化を電圧の変化として検出する、位置・角度変化に対応する電気信号発生装置を応用したセンサーを適用することができる。
【００１１】
信号処理部は、生体センサーからのデータを評価して異常値を摘出するとともにデータを蓄積する。通信部は、信号処理部におけるデータを、ホームネットワーク、インターネットといったネットワークにおける接続器に無線で送信するとともに、たとえば、遠隔地医療センター等管理センターからの送信を受信すべく機能する。この通信は必ずしも常時行う必要はなく、各検出パラメータの異常値を検出したときおよび定時通報の時でよい。
【００１２】
動作機器部は、たとえば唾液分泌促進剤や高齢者が慢性疾患に対して常備薬として処方されている薬剤の投与用ポンプや呼び出し用バイブレータ、口腔内電話装置といったアクチュエータであり、これらのミクロなアクチュエータが動作機器として床義歯又はマウスピースに収納・装着される。
【００１３】
【実施例】
図１に、本発明の口腔内設置型生体モニター・治療装置を織り込んだシステムの一実施例を示す。床義歯組み込み型生体モニター１で検出された諸種の検出パラメータ（生体情報）が、無線方式でネットワーク接続器２を介してホームネットワーク３を経てインターネット６へさらにインターネット６から遠隔地医療センター７等の管理センターへ或はホームネットワーク３から直接的に遠隔地医療センター７等の管理センターへ送信される。ホームネットワーク３にもたらされた生体情報中に異常値がある場合には、非常灯４を点滅させる。一方、他の送信ルートとして、検出された生体情報がネットワーク接続器２、携帯電話５を経てインターネット６へ入力され、遠隔地医療センター７等の管理センターへもたらされる。
【００１４】
遠隔地医療センター７等の管理センターでは、各種検出値（測定値）を読み取り、被検者の健康状態を判断して、ネットワーク及びネットワーク接続器２を介して床義歯組み込み型薬剤ポンプを作動させて、一次救急医療を行う。また、ホームネットワーク３を介して異常状態を通報し、必要に応じて医療関係者を緊急派遣する。
【００１５】
図２に、本発明の口腔内設置型生体モニター・治療装置の一実施例を示す。図２において、１１は脈拍、血中酸素飽和度センサーであって、床義歯底面に少なくとも一部が露出し、歯肉、粘膜等と接触し被検者の脈拍、血中酸素飽和度を検出し、複合マイクロプロセッサー１２に検出結果を電気信号として入力する。１３はメモリチップである。
【００１６】
これらのモニター（各センサー）及び信号処理ユニット（複合マイクロプロセッサー１２、メモリチップ１３）は、図２においては床義歯の外部に存するように示されているけれども、本発明においては、他のセンサーも含めて、義歯に穿設されている空腔部に収納・装着されている。
【００１７】
１４は加速度センサーであって、被検者の体姿勢、運動などを検出する。また、位置センサー（ＧＰＳシステム）と組み合わせて被検者の位置や行動経路を検出することもできる。
１５は唾液センサーであり、唾液中の酵素や代謝物質等を測定する。
１６はセンサー駆動回路であって、遠隔地医療センター７等の管理センターからの指令信号に基づいて、各種センサーや薬剤ポンプなどの動作機器を作動させる。
【００１８】
１７は二次電池であり、各種センサーや薬剤ポンプなどの動作機器の動力源として機能し、端子またはアンテナから電力を供給されて充電することができる。１８は温度センサーであって、被検者の体温を検出する。１９は薬剤タンクであり、たとえば唾液分泌促進剤や高齢者が慢性疾患に対して常備薬として処方されている薬液が充填されている。２０は薬剤ポンプであって、遠隔地医療センター７等の管理センターからの指令信号に基づいて起動され、被検者に薬液を投与する。
【００１９】
２１は無線送受信装置であり、上記各種センサーによる検出パラメータの測定結果を複合マイクロプロセッサー１２から入力され、これを無線方式でネットワーク接続器２を介して遠隔地医療センター７等の管理センターへ送信するとともに、遠隔地医療センター７等の管理センターからの指令信号に基づいて各種センサーを作動させ或は薬剤ポンプ２０や呼び出し用バイブレータを作動させる等、信号の発受信を行う。
【００２０】
【作用】
本発明の口腔内設置型生体モニター・治療装置は上に述べた構成になるから、被検者わけても高齢者の体温、脈拍、血中酸素飽和度、唾液中の酵素や代謝物質等を測定するとともに、体姿勢、運動量、行動経路・パターン等の全身情報を、遠隔地医療センター７等の管理センターで集中的に管理することができる。また、モニタリング結果に基づいて、遠隔地医療センター７等からの指令信号に基づいて必要な薬剤投与を行うこともできる。
【００２１】
【発明の効果】
本発明によれば、被検者わけても高齢者の健康状態を、口腔内に配設した全身状態センサーによって、体を傷つけることなく簡便に検知することができるとともに体姿勢、運動、位置（行動経路）を把握することができ、これに基づいて診断・通報・投薬を行うことができる。
【００２２】
また、本発明の口腔内設置型生体モニター・治療装置は、床義歯における歯やマウスピースに穿設された空腔内に装着されるものであるから当人にとって不快感や支障がなくまた、当人を拘束することがなく、各種センサーが体の異常を検出し、無線で遠隔地医療センター等の管理センターへ送信できるから、高い信頼性下に生体情報を得ることができる。
【図面の簡単な説明】
【図１】本発明による生体モニタリング・治療システムの一例を示すブロック図
【図２】本発明の口腔内設置型生体モニター・治療装置の一実施例を示す正面図
【符号の説明】
１  床義歯組込み型生体モニター
２  ネットワーク接続器
３  ホームネットワーク
４  非常灯
５  携帯電話
６  インターネット
７  遠隔地医療センター
１１  脈拍、血中酸素飽和度センサー
１２  複合マイクロプロセッサーチップ
１３  メモリチップ
１４  加速度センサー
１５  唾液センサー
１６  センサー駆動回路
１７  二次電池
１８  温度センサー
１９  薬剤タンク
２０  薬剤ポンプ
２１  無線送受信装置
【図１】
2004167120.tif 000003
【図２】
2004167120.tif 000004